(57)【要約】      （修正有）【課題】高品質で完璧に研削されたラウンドブリリアントターナーのダイヤモンドをスクリーニングできるダイヤモンド識別決定システムを提供する。【解決手段】システムは、天然ダイヤモンド検出およびスクリーニング装置、研削分析スクリーニング装置、８つハートと８つ矢印光学特性スクリーニング装置、色比較スクリーニング装置、透明度特性観察スクリーニング装置、および品質証明キャリアで構成されている。品質証明キャリアは、保持されているダイヤモンドのテスト番号と、キンバリープロセスに準拠したメモを記録している。テストされるダイヤモンドが前述のスクリーニング装置によってスクリーニングされ、保持される場合において、保持されるダイヤモンドはトップレベルのターニングダイヤモンド（Ｓｕｐｅｒ  Ｉｄｅａｌ  Ｄｉａｍｏｎｄ）である。【選択図】図１
0003224414.tif 000002
【実用新案登録請求の範囲】
【請求項１】
一種のダイヤモンド識別及び決定システムであり、天然ダイヤモンドを除去する天然ダイヤモンド検出およびスクリーニング装置と、研削角度の比率がトップターニング値の範囲内にないテスト対象のダイヤモンドを排除する研削分析およびスクリーニング装置と、８つハートと８つ矢印の光学特性である対称的な配置はなく、形状と輝度が一貫していないテスト対象のダイヤモンドを排除する８つハートと８つ矢印の光学特性スクリーニングデバイスと、非淡黄色のテスト対象のダイヤモンドを排除する色比較スクリーニング装置と、透明度特性に悪影響を受けるテスト対象ダイヤモンドを除去する透明度特性観察スクリーニング装置と、保持されたダイヤモンドの検出番号及びキンバリープロセスに適合する注釈を記録する品質証明キャリアとを含み、前記８つハートと８つ矢印の光学特性スクリーニングデバイスは、テスト対象のダイヤモンドの底の８つハートの光学特性とクラウンの８つ矢印の光学特性を増幅できるデジタル光学倍率観察モジュールを備えることを特徴とする、ダイヤモンド識別及び決定システム。
【請求項２】
前記８つハートおよび８つ矢印の光学特性スクリーニング装置はさらに画像記憶モジュールを含み、前記画像記憶モジュールはそれぞれ８つハートおよび８つ矢印の光学特性を記録し、それらを画像ファイルとして記憶することを特徴とする、請求項１に記載のダイヤモンド識別及び決定システム。
【請求項３】
前記品質証明キャリアは、保持されたダイヤモンドの８つハートおよび８つ矢印の光学特性の画像ファイルを記録することを特徴する、請求項２に記載のダイヤモンド識別及び決定システム。
【請求項４】
前記トップレベルのターニング数値は、５３％〜５７％の表パーセンテージ、スターファセット長の割合は４５％〜６０％、総深さの割合は６０％〜６２．８％、クラウン高さの割合は１４．５％〜１６．２％、底の深さの割合は４２．５％〜４３．５％、ガードル厚さの割合は２．５％〜４．５％、クラウン角は３４°〜３５°、底角は４０．６°〜４１．４°、ローワーガードルファセット割合は７０％〜８０％、キューレットサイズは小なしを含むことを特徴とする、請求項１に記載のダイヤモンド識別及び決定システム。
【請求項５】
前記デジタル光学増幅観察モジュールは、クラウンを上向きまたは底部を上向きにして試験されるダイヤモンドを位置決めするための台座と、テスト対象ダイヤモンドの上部付近に、周囲の光を遮る遮光筒と、光が遮光筒に入るように遮光筒の上部に組み立てられた半透明遮光筒と、増幅レンズと、および表示画面とを含み、前記半透明遮光筒の上部には、人が遮光筒内のテスト対象ダイヤモンドを見るための観察穴１が設けられていることを特徴とする、請求項１から請求項４までのいずれかの請求項に記載のダイヤモンド識別及び決定システム。
【請求項６】
前記色比較スクリーニング装置は、蛍光反応観察ボックスをさらに含み、前記蛍光反応観察ボックスは、テスト対象ダイヤモンドを載せることができるテーブルを備え、そして、テスト対象ダイヤモンドに面した紫外線ランプを前記テーブルの周りに取り付けていることを特徴とする、請求項１から請求項４までのいずれかの請求項に記載のダイヤモンド識別及び決定システム。
【請求項７】
前記色比較スクリーニング装置には、テスト対象のダイヤモンドに白い観察用スライドと、ダイヤモンドカラーストーンのセットが含まれ、前記ダイヤモンドカラーストーンのセットには、無色、ほぼ無色、黄色がかった、非常に黄色がかった、淡黄色のダイヤモンドが複数含まれていることを特徴とする、請求項１から請求項４までのいずれかの請求項に記載のダイヤモンド識別及び決定システム。
【請求項８】
前記透明度特性に悪影響を与えるものはノッチ、穴マーク、エッチングされたチューブ、クリスタルノット、レーザー穴、摩耗痕、火傷、小さな隙間、小さな白い斑点、研磨線、こすりの傷、傷跡が含まれることを特徴とする、請求項１から請求項４までのいずれかの請求項に記載のダイヤモンド識別及び決定システム。
【請求項９】
前記透明度特性観察スクリーニング装置は、宝石用の特別な顕微鏡および／または１０倍増幅鏡を含むことを特徴とする、請求項１から請求項４までのいずれかの請求項に記載のダイヤモンド識別及び決定システム。
【考案の詳細な説明】
【技術分野】
【０００１】
本考案は、ダイヤモンドの識別に適用されるスクリーニング技術であり、主にシステム内の様々なスクリーニング装置を使用して、基準に適合しないダイヤモンドを排除する。たとえば、非天然ダイヤモンド、研削角度の割合はトップレベルのターニング数値が範囲内になく、８つハートと８つ矢印の光学特性は非対称であり、形状と明るさは一貫しておらず、淡黄色ではないダイヤモンドなどを除去でき、最後に、高品質で完璧なカットグレードを保持するラウンドブリリアントターナーダイヤモンドを選択する。
【背景技術】
【０００２】
アメリカ宝石学会(Gemological Institute of America，GIA)は、カラット重量(Carat Weight)、カラーグレード(Color Grade)、クラリティグレード(Clarity Grade)、カットグレード(Cut Grade)でダイヤモンドを評価する国際的なダイヤモンドグレーディングシステムを作成した。これは業界で認識されている識別標準になり、GIAが発行した証明書も市場で最も認識されている。
【０００３】
通常、GIAは、消費者が証明書記録と同じダイヤモンドでダイヤモンドを識別することができるように、ダイヤモンドのウエストに証明書番号を刻む。ダイヤモンドのウエストに証明書番号がない場合は、鑑定人にダイヤモンド含有物の特性を確認し、証明書のダイヤモンド含有物マップを確認し、ダイヤモンドのサイズと重量を確認するよう依頼することができる。測定値が証明書レコードの結果と一致する場合、該ダイヤモンドが証明書レコードと同じダイヤモンドであることを意味する。
【０００４】
さらに、丸いブリリアントダイヤモンドのターナーの対称性は、一定の基準に達している。ダイヤモンドフィルターを通してダイヤモンドのクラウンを見ると、８つ矢印の光学特性が表示され、ダイヤモンドの下から見ると、８つハートの光学特性が示されている。角度の割合(Proportions)、対称性(Symmetry)、および研磨(Polish)のレベルが優れている(Excellent)場合、優れた明るさとフレアを示すことができる。ただし、優れた角度比、対称性、および研磨度を備えたダイヤモンドは、必ずしも完全な形状、サイズ、および明るさの８つハートおよび８つ矢印の光学特性を備えているとは限らない。８つのハートと８つの矢印の光学特性が対称的に配置されていなく、形状と明るさが不確かな場合があり、ダイヤモンドの品質は、優れた角度比率、対称性、研磨度でグレードが異なることは明らかである。
【０００５】
現在、天然ダイヤモンドのターナーが良いか否かに関係なく、GIA証明書を申請することができる、GIA証明書はダイヤモンドの８つハートと８つ矢印の光学特性を追加的に評価しない。しかし、ほとんどの消費者は、対称的に配置され、形状と明暗が同じの光学特性を備えた８つハートと８つ矢印の最高級カットグレードのダイヤモンドを購入したいと考えている。したがって、８つハートと８つ矢印の光学特性を有するトップレベルのターニングダイヤモンド(Super Ideal Diamond)をスクリーニングする方法は、本考案者が改善したい問題である。
【考案の概要】
【考案が解決しようとする課題】
【０００６】
本考案の目的は、トップレベルのターニングダイヤモンドをスクリーニングできる決定システムを提供することである。主にシステム内のさまざまなスクリーニング装置を介して、準拠していないダイヤモンドを排除し、たとえば、非天然ダイヤモンド、研削角度の割合はトップレベルのターニングの範囲内になく、８つハートと８つ矢印の光学特性は非対称であり、形状と明るさは一貫しておらず、淡黄色ではなく、最後に保持されるダイヤモンドは、トップレベルのターニングダイヤモンド(Super Ideal Diamond)である。
【課題を解決するための手段】
【０００７】
上記の目的を達成するために、本発明は、天然ダイヤモンドを除去する天然ダイヤモンド検出およびスクリーニング装置と、研削角度の比率がトップターニング値の範囲内にないテスト対象のダイヤモンドを排除する研削分析およびスクリーニング装置と、８つハートと８つ矢印の光学特性である対称的な配置はなく、形状と輝度が一貫していないテスト対象のダイヤモンドを排除する８つハートと８つ矢印の光学特性スクリーニングデバイスと、非淡黄色のテスト対象のダイヤモンドを排除する色比較スクリーニング装置と、透明度特性に悪影響を受けるテスト対象ダイヤモンドを除去する透明度特性観察スクリーニング装置と、保持されたダイヤモンドの検出番号及びキンバリープロセス(Kimberly Process)に適合する注釈を記録する品質証明キャリアとを含み、前記８つハートと８つ矢印の光学特性スクリーニングデバイスは、テスト対象のダイヤモンドの底の８つハートの光学特性とクラウンの８つ矢印の光学特性を増幅できるデジタル光学倍率観察モジュールを備える高品質のダイヤモンドをスクリーニングするためのダイヤモンド識別決定システムである。
【考案の効果】
【０００８】
上記の構成により、本システムは、さまざまなスクリーニング装置を介して準拠していないダイヤモンドを排除し、たとえば、非天然ダイヤモンド、研削角度の割合はトップレベルのターニングの範囲内になく、８つハートと８つ矢印の光学特性は非対称であり、形状と明るさは一貫しておらず、淡黄色ではなく、最後に保持されるダイヤモンドは、トップレベルのターニングダイヤモンド(Super Ideal Diamond)である。
【０００９】
以下、本考案の技術的手段に従って、本考案に適した実施方法を列挙し、図と合わせて以下の通り説明する。
【図面の簡単な説明】
【００１０】
【図１】本考案のシステムアーキテクチャ図である。
【図２】本考案におけるトップレベルのターニングダイヤモンドのカット角度割合の概略図である。
【図３】本考案の８つハート８つ矢印の光学特性スクリーニング装置の立体分解図である。
【図４】本考案の８つハート８つ矢印の光学特性スクリーニング装置の使用概略図ある。
【図５】テスト対象ダイヤモンドの８つハートの光学特性は、完全な形状、サイズ、均一性（最上級）であることを表す図である。
【図６】テスト対象のダイヤモンドの８つ矢印の光学特性は、完全な形状、サイズ、均一性（最上級）であることを表す図である。
【図７】テスト対象ダイヤモンドの８つハートの光学特性は、サイズと形状が異なることを表す図である。
【図８】テスト対象ダイヤモンドの８つ矢印の光学特性は厚さと形状が異なることを表す図である。
【図９】テスト対象ダイヤモンドの８つハートの光学特性のハート形は、中心で割れて、変形しているのである。
【図１０】テスト対象ダイヤモンドの８つ矢印の光学特性は、矢印にゆがみ、ねじれがあり、矢印本体との接続が不十分であることを表す図である。
【図１１】テスト対象ダイヤモンドの８つハートの光学特性は不確かであることを表す図である。
【図１２】テスト対象ダイヤモンドの８つ矢印の光学特性は不確かであることを表す図である。
【図１３】本考案のデジタル光学倍率観察モジュールの第２実施形態の概略図である。
【図１４】本考案の品質証明キャリアの概略図である。
【考案を実施するための形態】
【００１１】
図１に示すように、本考案は、天然ダイヤモンド検出およびスクリーニング装置１０、研削分析およびスクリーニング装置２０、８つハートと８つ矢印光学特性スクリーニング装置３０、色比較スクリーニング装置４０、透明度特性観察スクリーニング装置５０、品質証明キャリア６０を含むダイヤモンド識別決定システムである。このシステムは、さまざまなスクリーニング装置を介して非準拠ダイヤモンドを除去し、トップレベルのターニングダイヤモンド（Super Ideal Diamond）をスクリーニングする。
【００１２】
天然ダイヤモンド検出スクリーニング装置１０は、非天然ダイヤモンドを除去し、天然ダイヤモンドを保持することができる。主に、ダイヤモンドの紫外線照射によって生成されるスペクトルデータの収集に基づいて、テスト対象のダイヤモンドが天然ダイヤモンドであるかどうかを検出する。
【００１３】
研削分析およびスクリーニング装置２０は、ダイヤモンドの各部分の研削角度の比（割合）を検出することができる。研削角度比が超理想的な数値範囲内にないテスト対象のダイヤモンドを除去し、超理想的な数値範囲にあるテスト対象のダイヤモンドを保持する。研削分析およびスクリーニング装置２０により保持されたダイヤモンドは、光がダイヤモンドに入射して１００％全反射を達成するという完璧な最上級（Superlative）を有する。
【００１４】
図２に示されるように、いわゆるトップレベルのターニング数値は、５３％〜５７％の表パーセンテージ(Table Percentage)１０１、スターファセット長の割合(Star Facet Length Percentage )１０２は４５％〜６０％、総深さの割合(Total Depth Percentage)１０３は６０％〜６２．８％、クラウン高さの割合(Crown Height Percentage)１０４は１４．５％〜１６．２％、底の深さの割合（Pavilion Depth Percentage）１０５は４２．５％〜４３．５％、ガードル厚さの割合(Girdle Thickness Percentage)１０６は２．５％〜４．５％（薄い厚さ）、クラウン角(Crown Angle)１０７は３４°〜３５°、底角（(Pavilion Angle)１０８は４０．６°〜４１．４°、ローワーガードルファセット割合(Lower Girdle Facet Percentage)１０９は７０％〜８０％、キューレットサイズ(Culet Size)１１０は小なし（None-Small）を含む。
【００１５】
図３から図６までに示されるように、８つハートと８つ矢印光学特性スクリーニング装置３０は、デジタル光学倍率観察モジュール３１および画像記憶モジュール３２を含む。デジタル光学増幅観察モジュール３１は、クラウンを上向きまたは底部を上向きにして試験されるダイヤモンド１００を位置決めするための台座３３と、テスト対象ダイヤモンド１００の上部付近に、周囲の光を遮る遮光筒３４と、光が遮光筒３４に入るように遮光筒３４の上部に組み立てられた半透明遮光筒３５と、増幅レンズ３６と、および表示画面３７とを含む。半透明遮光筒３５の上部には、人が遮光筒３４内のテスト対象ダイヤモンド１００を見るための観察穴３５１が設けられている。
【００１６】
遮光筒３４は金属製であり、内部が紫色であり、半透明遮光筒３５は白色である。光が半透明遮光筒３５に入ると、ダイヤモンドの底部にある８つハートの光学特性１１１とクラウンの８つ矢印の光学特性１１２は白色画像になり、残りの部位は紫色画像になる。実際の操作では、外部照明を適用して照明を補助することもできる。
【００１７】
増幅レンズ３６は、遮光筒３４および半透明遮光筒３５の上方に配置され、デジタル光学増幅観察モジュール３１は、増幅レンズ３６を介して、テスト対象ダイヤモンド１００の８つハートおよび８つ矢印の光学特性１１１、１１２を増幅する。そして、表示画面３７に表示され、８つハートおよび８つ矢印の光学特性１１１、１１２をより明確にし、同時に、画像記憶モジュール３２は、８つハートおよび８つ矢印の光学特性１１１および１１２を別々に記録し、それらを画像ファイルとして記憶することができる。
【００１８】
図５および図６は、それぞれ８つハートの光学特性１１１および８つ矢印の光学特性１１２である。８つハートと８つ矢印の光学特性スクリーニング装置３０は図７から図１２のように、対称的に配置されておらず、形状および輝度が一貫していないテスト対象ダイヤモンドを排除することができ、８つハートと８つ矢印の光学特性である対称性排列、形状と一致する輝度のテスト対象ダイヤモンド（最上級）を保持する。
【００１９】
図１３に示すように、デジタル光学増幅観察モジュール３１の増幅レンズ３６は、遮光筒３４および半透明遮光筒３５の内側に配置されてもよい。本考案者の実際の操作によれば、増幅レンズ３６とテスト対象ダイヤモンド１００との間の最適な距離Ｄは３．８ｃｍ（約１．５インチ）である。８つハートと８つ矢印の光学特性が５倍の増幅画像を示し、０．２０カラットから５．９９カラットまでの重さのテスト対象ダイヤモンドが、完璧なハートと矢印の最上級（Superlative）格付けがあるかどうかを明確に観察できる。
【００２０】
図１に示されるように、色比較スクリーニング装置４０は、テスト対象ダイヤモンド用の観察スライド４１と、１つのセットのダイヤモンドカラーストーン４２とを含む。観察スライド４１は、白いボール紙から折り畳むことができ、ダイヤモンドカラーストーン４２のセットは、複数のそれぞれ、無色(Colorless)、ほぼ無色(Near Colorless)、ほぼ黄色(Faint)、および非常に明るい黄色(Very Light)、淡黄色(Light)グレードのダイヤモンドを含む。テスト対象ダイヤモンドは、観察スライド４１上のダイヤモンドカラーストーン４２のセットと比較され、テスト対象のダイヤモンドの色が淡黄色ではない場合は除かれ、無色から淡黄色の場合は保持される。
【００２１】
実施されるとき、色比較スクリーニング装置４０は、蛍光反応観察ボックス４３をさらに含む。蛍光反応観察ボックス４３は、テスト対象ダイヤモンドを載せることができるテーブルを備えている。そして、テスト対象ダイヤモンドに面した紫外線ランプ（LW：365 nmおよびSW：253.7 nm）をテーブルの周りに取り付けて、テスト対象ダイヤモンドに、紫外線ランプの光の中で蛍光反応(Fluorescence)を検出させる。
【００２２】
透明度特性観察スクリーニング装置５０は、宝石用の特別な顕微鏡および／または１０倍増幅鏡を含む。ノッチ、穴、エッチングされたチューブ、クリスタルノット、レーザー穴、摩耗痕、火傷、小さな隙間、小さな白い斑点、研磨線、傷など、テスト対象ダイヤモンドの透明度特性に悪影響を与えるかどうかを観察する。透明度特性観察スクリーニング装置５０は透明度特性に悪影響を受けるテスト対象ダイヤモンドを除去することができる。
【００２３】
テスト対象ダイヤモンドは、前述の天然ダイヤモンド検出およびスクリーニング装置１０、研削分析およびスクリーニング装置２０、８つハートと８つ矢印光学特性スクリーニング装置３０、色比較スクリーニング装置４０、および透明度特性観察スクリーニング装置５０によってスクリーニングおよび保持され、保持されるダイヤモンドがトップレベルのターニングダイヤモンド(Super Ideal Diamond)である。図１４に示されるように、品質証明キャリア６０は、保持されたダイヤモンドの検出番号６１と、キンバリープロセス(Kimberly Process)に適合する注釈６２を記録する。保持されたダイヤモンドの８つハートおよび８つ矢印の光学特性画像ファイル１１１Ａ、１１２Ａを記録することもでき、消費者はダイヤモンの品質を確認するために証明書に対して品質証明書キャリア６０の内容を便利にチェックできる。
【００２４】
上記の構成により、システムは、様々なスクリーニング装置を介して非適合ダイヤモンドたとえば、非天然ダイヤモンド、研削角度の割合はトップレベルのターニング数値が範囲内になく、８つハートと８つ矢印の光学特性は非対称であり、形状と明るさは一貫しておらず、淡黄色ではないダイヤモンドなどを除去でき、最後に高品質、完璧なトップレベルのターニングダイヤモンドを選ぶことができる。さらに、品質証明キャリア６０は、保持されたダイヤモンドの８つハートと８つ矢印の光学特性をさらに記録することができ、消費者は、品質認定キャリアに基づいてダイヤモンドの品質を便利に確認できる。
【００２５】
以上の実施形態および図面は、本考案の好ましい実施形態の単なる例示であり、本考案の範囲を限定することを意図するものではなく、本考案の目的、構造、装置、特徴など類似または同一であるものは すべてが本考案実用新案請求項の範囲に属するべきである。
【符号の説明】
【００２６】
１０  天然ダイヤモンド検出およびスクリーニング装置
２０  研削分析およびスクリーニング装置
３０  ８つハートと８つ矢印光学特性スクリーニング装置
３１  デジタル光学倍率観察モジュール
３２  画像記憶モジュール
３３  台座
３４  遮光筒
３５  半透明遮光筒
３５１  観察穴
３６  増幅レンズ
３７  表示画面
４０  色比較スクリーニング装置
４１  観察スライド
４２  ダイヤモンドカラーストーン
４３  蛍光反応観察ボックス
５０  透明度特性観察スクリーニング装置
６０  品質証明キャリア
６１  検出番号
６２  注釈
１００  テスト対象ダイヤモンド
１０１  表パーセンテージ
１０２  スターファセット長の割合
１０３  総深さの割合
１０４  クラウン高さの割合
１０５  底の深さの割合
１０６  ガードル厚さの割合
１０７  クラウン角
１０８  底角
１０９  ローワーガードルファセットの割合
１１０  キューレットサイズ
１１１  ８つハートの光学特性
１１１Ａ  ８つハートの光学特性画像ファイル
１１２  ８つ矢印の光学特性
１１２Ａ  ８つ矢印の光学特性画像ファイル
【図１】
0003224414.tif 000003
【図２】
0003224414.tif 000004
【図３】
0003224414.tif 000005
【図４】
0003224414.tif 000006
【図５】
0003224414.tif 000007
【図６】
0003224414.tif 000008
【図７】
0003224414.tif 000009
【図８】
0003224414.tif 000010
【図９】
0003224414.tif 000011
【図１０】
0003224414.tif 000012
【図１１】
0003224414.tif 000013
【図１２】
0003224414.tif 000014
【図１３】
0003224414.tif 000015
【図１４】
0003224414.tif 000016
【手続補正書】
【提出日】令和1年10月16日(2019.10.16)
【手続補正１】
【補正対象書類名】実用新案登録請求の範囲
【補正対象項目名】全文
【補正方法】変更
【補正の内容】
【実用新案登録請求の範囲】
【請求項１】
一種のダイヤモンド識別及び決定システムであり、天然ダイヤモンドを除去する天然ダイヤモンド検出およびスクリーニング装置と、研削角度の比率がトップターニング値の範囲内にないテスト対象のダイヤモンドを排除する研削分析およびスクリーニング装置と、８つハートと８つ矢印の光学特性である対称的な配置はなく、形状と輝度が一貫していないテスト対象のダイヤモンドを排除する８つハートと８つ矢印の光学特性スクリーニングデバイスと、非淡黄色のテスト対象のダイヤモンドを排除する色比較スクリーニング装置と、透明度特性に悪影響を受けるテスト対象ダイヤモンドを除去する透明度特性観察スクリーニング装置と、保持されたダイヤモンドの検出番号及びキンバリープロセスに適合する注釈を記録する品質証明キャリアとを含み、前記８つハートと８つ矢印の光学特性スクリーニングデバイスは、テスト対象のダイヤモンドの底の８つハートの光学特性とクラウンの８つ矢印の光学特性を増幅できるデジタル光学倍率観察モジュールを備えることを特徴とする、ダイヤモンド識別及び決定システム。
【請求項２】
前記８つハートおよび８つ矢印の光学特性スクリーニング装置はさらに画像記憶モジュールを含み、前記画像記憶モジュールはそれぞれ８つハートおよび８つ矢印の光学特性を記録し、それらを画像ファイルとして記憶することを特徴とする、請求項１に記載のダイヤモンド識別及び決定システム。
【請求項３】
前記品質証明キャリアは、保持されたダイヤモンドの８つハートおよび８つ矢印の光学特性の画像ファイルを記録することを特徴する、請求項２に記載のダイヤモンド識別及び決定システム。
【請求項４】
前記トップレベルのターニング数値は、５３％〜５７％の表パーセンテージ、スターファセット長の割合は４５％〜６０％、総深さの割合は６０％〜６２．８％、クラウン高さの割合は１４．５％〜１６．２％、底の深さの割合は４２．５％〜４３．５％、ガードル厚さの割合は２．５％〜４．５％、クラウン角は３４°〜３５°、底角は４０．６°〜４１．４°、ローワーガードルファセット割合は７０％〜８０％、キューレットサイズは小なしを含むことを特徴とする、請求項１に記載のダイヤモンド識別及び決定システム。
【請求項５】
前記デジタル光学倍率観察モジュールは、クラウンを上向きまたは底部を上向きにして試験されるダイヤモンドを位置決めするための台座と、テスト対象ダイヤモンドの上部付近に、周囲の光を遮る遮光筒と、光が遮光筒に入るように遮光筒の上部に組み立てられた半透明遮光筒と、増幅レンズと、および表示画面とを含み、前記半透明遮光筒の上部には、人が遮光筒内のテスト対象ダイヤモンドを見るための観察穴１が設けられていることを特徴とする、請求項１から請求項４までのいずれかの請求項に記載のダイヤモンド識別及び決定システム。
【請求項６】
前記色比較スクリーニング装置は、蛍光反応観察ボックスをさらに含み、前記蛍光反応観察ボックスは、テスト対象ダイヤモンドを載せることができるテーブルを備え、そして、テスト対象ダイヤモンドに面した紫外線ランプを前記テーブルの周りに取り付けていることを特徴とする、請求項１から請求項４までのいずれかの請求項に記載のダイヤモンド識別及び決定システム。
【請求項７】
前記色比較スクリーニング装置には、テスト対象のダイヤモンドに白い観察用スライドと、ダイヤモンドカラーストーンのセットが含まれ、前記ダイヤモンドカラーストーンのセットには、無色、ほぼ無色、黄色がかった、非常に黄色がかった、淡黄色のダイヤモンドが複数含まれていることを特徴とする、請求項１から請求項４までのいずれかの請求項に記載のダイヤモンド識別及び決定システム。
【請求項８】
前記透明度特性に悪影響を与えるものはノッチ、穴マーク、エッチングされたチューブ、クリスタルノット、レーザー穴、摩耗痕、火傷、小さな隙間、小さな白い斑点、研磨線、こすりの傷、傷跡が含まれることを特徴とする、請求項１から請求項４までのいずれかの請求項に記載のダイヤモンド識別及び決定システム。
【請求項９】
前記透明度特性観察スクリーニング装置は、宝石用の特別な顕微鏡および／または１０倍増幅鏡を含むことを特徴とする、請求項１から請求項４までのいずれかの請求項に記載のダイヤモンド識別及び決定システム。